(57)【要約】【課題】改良された伝送パラメータを示し、特にクロストークを最小に減少させ、さらにコスト及び材料の観点から経済的に生産できるコネクタ構造及び関連する組立方法の提供。【解決手段】コネクタ構造は、少なくとも２本の多芯ケーブル１０１，１０２を電気接続するためのコネクタ３及び対応する相手コネクタ４を有する。ケーブルは、少なくとも２対の芯１−１，１−２，２−１，２−２を有して各芯対に時間可変の差動信号を対称伝送可能である。コネクタハウジング及び相手コネクタハウジングの各々は、嵌合時に互いに係合するコンタクトを有する。コネクタハウジング及び相手コネクタハウジング内の芯端部及びコンタクトの空間配置は、ケーブルの芯対の空間配置に対応する。各芯対の２つの芯端部及びコンタクトは、別の少なくとも１つの芯対の各芯端部及びコンタクトに対して略等距離に配置される。【選択図】図１
2004172131.tif 000002
【特許請求の範囲】
【請求項１】
少なくとも２本の多芯ケーブルを電気接続するためのコネクタ及び対応する相手コネクタを有するコネクタ構造であって、前記ケーブルは、少なくとも２対の芯を有して各芯対に時間可変の差動信号を対称伝送可能であり、前記コネクタはコネクタハウジングを有し、前記相手コネクタは相手コネクタハウジングを有し、前記コネクタハウジング及び前記相手コネクタハウジングの各々は、嵌合時に互いに係合するコンタクトを有するコネクタ構造において、
前記コネクタハウジング及び前記相手コネクタハウジング内の前記芯端部及び前記コンタクトの空間配置は、前記ケーブルの前記芯対の空間配置に対応し、
各芯対の２つの前記芯端部及びコンタクトは、別の少なくとも１つの芯対の各芯端部及びコンタクトに対して略等距離に配置されることを特徴とするコネクタ構造。
【請求項２】
前記コネクタ及び前記相手コネクタは、それぞれ前記コネクタ又は前記相手コネクタに合致した形状のシールドを有することを特徴とする請求項１記載のコネクタ構造。
【請求項３】
前記コネクタの前記シールドは、嵌合時に前記相手コネクタの前記シールドに電気接続可能であることを特徴とする請求項２記載のコネクタ構造。
【請求項４】
前記ケーブルはスタークアッドケーブルであり、
前記芯は、ほぼ円形路で前記コネクタ構造を通過することを特徴とする請求項１ないし３のうちいずれか１項記載のコネクタ構造。
【請求項５】
前記コネクタ及び前記相手コネクタは嵌合面を有し、
該嵌合面内に、前記コネクタ及び前記相手コネクタ内の前記芯端部の空間配置に従って前記コンタクトが配置されたことを特徴とする請求項１ないし４のうちいずれか１項記載のコネクタ構造。
【請求項６】
前記コネクタは、Ｍ１２嵌合面を有する円形コネクタであることを特徴とする請求項１ないし５のうちいずれか１項記載のコネクタ構造。
【請求項７】
直流電流が差動信号に加えて２つの前記芯に伝送されることを特徴とする請求項１ないし６のうちいずれか１項記載のコネクタ構造。
【請求項８】
前記コネクタ及び前記相手コネクタの前記シールドは非対称を示すことを特徴とする請求項１ないし７のうちいずれか１項記載のコネクタ構造。
【請求項９】
前記コネクタ及び前記相手コネクタは、ねじ止め又はラッチにより互いに結合されることを特徴とする請求項１ないし８のうちいずれか１項記載のコネクタ構造。
【請求項１０】
前記相手コネクタは印刷回路基板に接続されることを特徴とする請求項１ないし９のうちいずれか１項記載のコネクタ構造。
【請求項１１】
少なくとも２本の多芯ケーブルを電気接続するためのコネクタを組み立てる方法であって、前記ケーブルの各々は、少なくとも２対の芯を有して各芯対に時間可変の差動信号を対称伝送可能であり、
前記ケーブルの前記芯端部を前記コネクタのコンタクトに接続する工程と、
前記コンタクトをコネクタハウジング内に挿入する工程と、
前記コネクタハウジングを囲むシールドプレートを嵌める工程と、
前記シールドプレートをケーブルシールドに接続する工程と、
前記ケーブルシールドに接触する前記シールドプレートの端部領域に圧着バレルを配置し取り付ける工程とからなるコネクタ組立方法において、
前記コンタクトを前記コネクタハウジング内に挿入することにより、該コネクタハウジング内での前記芯端部及び前記コンタクトの空間配置が、前記ケーブル内の前記芯の対の空間配置を保持する工程と、
各芯対の前記２つの芯端部及び前記コンタクトは、別の少なくとも１本の前記芯対の各芯端部及び前記コンタクトに対して略等距離に配置されることを特徴とするコネクタ組立方法。
【請求項１２】
前記コネクタハウジングはコンタクト固定手段を具備し、
前記シールドプレートの嵌める前記工程の前に、前記コネクタハウジング内に挿入された前記コンタクトを前記コネクタハウジングに固定するために、前記コンタクト固定手段を閉じる工程をさらに具備することを特徴とする請求項１１記載のコネクタ組立方法。
【発明の詳細な説明】
【技術分野】
【０００１】
本発明は、コネクタおよび対応する相手コネクタを有し、少なくとも２本の多芯ケーブルを電気接続するコネクタ構造に関する。ここで、各ケーブルは少なくとも２対の芯を有し、各芯対の時間可変差動信号の対称伝送を可能にする。また、コネクタはコネクタハウジングを具備すると共に、相手コネクタは相手コネクタハウジングを具備し、各コネクタは、嵌合時に互いに係合するコンタクトを具備する。
【背景技術】
【０００２】
多くの技術領域において、２本のケーブルを電気的に接続するためにコネクタ構造が使用されている。コネクタ構造には一般に、広範囲の環境でコネクタを使用する可能性を与えるために多くの要求事項が課せられる。例えば、高周波では、多芯ケーブルの信号伝送に干渉が起こる。この干渉は例えば、電磁干渉、クロストーク（漏話）或いはケーブル減衰である。これらの干渉を弱めるために、広い範囲の異なる方法が使用されている。電磁干渉に対して保護するために、ケーブルは遮蔽されることが多い。クロストークは、ケーブル芯を撚ることにより大きく防止できる。
【０００３】
多芯ケーブルを介し信号伝送用に選択された伝送プロトコルは、種々の伝送パラメータのうちどのパラメータが各用途に特に関連するかを決定する。これらパラメータの一つは、上述したように１チャンネルから隣接するチャンネルへの（すなわち一つの芯対から別の芯対への）クロストークである。「スタークアッド」ケーブルにおいて、芯対が対角に配置されるとクロストーク減衰が非常に大きくなるように、クロストークに対して保護するためにケーブルの対称構造が使用されている。
【０００４】
クロストーク補償はケーブル自体に影響を与え、この影響を抑制するための伝送された信号の対応する形状は、従来、ツイストペアケーブルを用いて達成されていた。ここで、導体が互いに撚られるので、個別の芯により及ぼされる相互影響が抑制される。
【０００５】
或いは、撚られた４本ケーブルとしても知られている、いわゆるスタークアッドケーブルを使用してもよい。図１６は、このようなスタークアッドケーブルの断面図である。ケーブルは、差動信号を伝送する２対の芯を有する。対称信号伝送としても知られる差動信号を用いた信号伝送の場合、「正の信号」が１芯対のうちの１芯（例えば１−１）に伝送され、反転した「負の信号」が同時に別の芯（例えば１−２）に伝送される。両信号（すなわちそれらの電圧形状）は同じ振幅値を有する。２本の信号は受信器において互いに差し引かれるので、コモンモード干渉を抑制し正味信号を増幅する。この種の信号伝送は、例えばイーサネット（登録商標）、ＣＡＮ及びＲＳ４８４システム等の多くの技術用途に使用される。ケーブルはさらにシールド５に囲まれる。
【０００６】
クロストーク干渉が打ち消される理由は、芯１−１，１−２がそれぞれ芯２−１，２−２から等距離離間するので、芯１−１の正の信号が、芯１−２の負の信号と同値の例えば２−１とクロストークする。このため、芯１−１，１−２からの信号クロストークは芯２−１，２−２で互いに打ち消しあう。
【０００７】
このように、スタークアッドケーブルにおける上述の芯対の配置は、非常に大きなクロストーク減衰を達成し、非常に高い周波数における信号伝送を可能にする。高周波信号伝送中に生ずる多くの悪影響は、ケーブル構造を適当に設計することで解決できることに留意すべきである。
【０００８】
このような多芯ケーブルを互いに接続する伝送リンクに使用されることが多いコネクタ構造は、伝送リンク内で干渉点を構成する。
【０００９】
ケーブルを介した信号伝送で生じ、また、コネクタ構造により拡大される際に最も頻繁に起こる問題の一つに、電磁干渉がある。従って、良好な電磁両立性を達成するために、一般に、これらの干渉を低減するよう意図されたシールドをコネクタ及びケーブルが具備する。例えば、特許文献１及び２は、外部でシールドされたコネクタを開示する。特許文献１の場合、ケーブルのシールドに接続された、コネクタハウジングの導電部品は、電気コネクタのシールドを成形する。
【００１０】
コネクタ内のクロストーク問題を解決するために、コネクタ内の個々の芯をまとめて撚ることによりクロストークを低減することができる。このようなコネクタは例えば特許文献３に開示されている。コネクタ内のクロストーク効果を抑制する別の構造は例えば特許文献４で公知であるが、この構造は極めて複雑であるという不利がある。
【００１１】
このような多芯ケーブルを接続する多極コネクタ構造は、たとえば特許文献５に開示されている。このコネクタ構造は、ビル内配線ネットワークにおいて電気導体を電気的及び機械的に接続するためにソケット及び少なくとも１個のプラグを有する多極プラグシステムを採用している。個別の芯対を有する複数のケーブルをソケットにフィードすることにより、上述のソケットから１以上の配線（service）に分岐することが可能である。
【００１２】
さらに、イーサネット（登録商標）ケーブルの芯を介して直流電流でイーサネット（登録商標）ケーブルネットワークに端末を供給することが当業界で公知である。この技術は、ワパーオーバーイーサネット（登録商標）として知られている。特許文献６及び７はこの用途の例を示す。
【特許文献１】米国特許第５６６７４０７号明細書
【特許文献２】米国特許第４７０２５３８号明細書
【特許文献３】欧州特許出願公開第１２０６０１５号明細書
【特許文献４】米国特許出願公開第２００１／２１６０８号明細書
【特許文献５】欧州特許第８０９３３１号明細書
【特許文献６】米国特許第６２９５３５６号明細書
【特許文献７】特開２０００−１３４２２８号公報
【発明の開示】
【発明が解決しようとする課題】
【００１３】
上述したように、スタークアッドケーブル又は他の高周波ケーブルを相互接続するコネクタ構造は、伝送リンク内において伝送パラメータを低下させる干渉点を構成する。例えばコネクタ内のクロストークのこの問題を解決することを意図された公知の解決法は、一般に不十分か、材料を浪費し高コストでのみ達成可能である。
【００１４】
従って、本発明は、改良された伝送パラメータを示し、特にクロストークを最小に減少させ、さらにコスト及び材料の観点から経済的に生産できるコネクタ構造及び関連する組立方法を提供することを目的とする。
【課題を解決するための手段】
【００１５】
本発明は、ケーブル、特にスタークアッドケーブル内の真の有利な構造を、良好な伝送パラメータのためコネクタ構造内に有利に使用できるという知見に基づくものである。
【００１６】
コネクタ構造の伝送パラメータを最適化するために、本発明に従ったコネクタ構造は、芯端部の空間構造と、コネクタハウジング及び相手コネクタハウジング内にケーブルの芯対の空間構造に対応するよう構成された嵌合コンタクトとを有し、各芯対の２つの芯端部及びコンタクトは、別の少なくとも１つの芯対の各芯端部及びコンタクトに対して略等距離に配置される。
【００１７】
芯端部とコンタクトの空間配置をコネクタハウジング及び相手コンタクトハウジング内で保持することにより、コネクタ構造内の物理特性（すなわち、伝送パラメータ）は有利に影響される。とりわけ、と、ケーブルの芯対の空間構造を維持する、コネクタハウジング又は相手コネクタハウジング内の芯端部及びコンタクトの配置は、特に良好なクロストーク減衰をもたらす。
【００１８】
このコネクタ構造を最適化するため、及び電磁干渉を防止するために、コネクタ及び相手コネクタはシールドを具備し、シールドの形状は、コネクタ又は相手コネクタにそれぞれ適合する。
【００１９】
コネクタ構造の伝送パラメータのさらなる最適化は、嵌合によりコネクタのシールドが相手コネクタのシールドに接続できる点で、達成することができる。
【００２０】
接続されるケーブルがスタークアッドケーブルの場合、コネクタ構造内でコンタクトにより形成された個別の芯が円形路上に略横たわると特に利点がある。このため、コネクタ構造内の芯の配置は、ケーブル内の配置と一致する。従って、スタークアッドケーブルで達成できる良好な伝送パラメータは、コネクタ構造でさえも実質的に保持することができる。
【００２１】
コネクタ内での芯の空間配置に従って、コネクタは、コンタクトが適切に配置されたコネクタ面を有する。
【００２２】
特に、対称配置、すなわちコネクタ内での芯の空間配置の保持により、例えばＭ１２プラグ面を有する特に小さい円形コネクタの製造が可能になる。これら円形コネクタの発明に従った構造により、数百メガヘルツの範囲までの信号の円形コネクタを使用する際、特に良好な伝送パラメータが達成される。
【００２３】
本発明に従ったコネクタ構造は、差動信号に加えて２芯に直流電流を伝送することにより、パワーオーバイーサネット（登録商標）システム（Power-over-Ethernet（登録商標） systems）で有利に使用することができる。
【００２４】
試験及び測定は、コネクタ及び相手コネクタ内の若干の非対称性を示すシールドさえも、伝送リンク内の良好な伝送パラメータを可能にすることを示した。
【００２５】
機械的に安定しロード可能な方法でコネクタ及び相手コネクタを相互接続できるようにするために、コネクタ及び相手コネクタのシールドはねじ止め又は相互ラッチすることを可能にすると有利であるので、伝送リンクの連続的なシールドを達成する。
【００２６】
本発明に従ったコネクタの個別部品が少ないことは、簡単で低コストのコネクタの組立を可能にする。
【００２７】
この工程の間、ケーブルの個別の芯はコネクタのコンタクトに接続され、これらのコンタクトは絶縁性コネクタハウジングに挿入され、その結果、コネクタハウジングへのコンタクトの挿入により、コネクタハウジング内での芯対の空間配置がケーブルの空間配置を保持し、各芯対の２本の芯が、別の芯対の少なくとも一方の各芯に対して略等距離に配置される。
【００２８】
例えば機械的力の作用によって絶縁コネクタハウジングからコンタクトが意図せず脱落することを防止するために、コネクタハウジングがコンタクト固定手段を有し、シールドプレートの嵌め込み及びコネクタハウジング内へのコンタクトの固定の前に、コンタクト固定手段がコネクタの組立中に閉鎖されると有利である。
【００２９】
さらに、相手コネクタが印刷回路基板に接続でき、本発明に従ったコネクタ構造の伝送特性を使用して印刷回路基板及びケーブルが接続できるように、コネクタ構造は設計される。
【発明を実施するための最良の形態】
【００３０】
以下、添付図面を参照して本発明の好適実施形態を説明する。
【００３１】
図１は、本発明に従った、コネクタ３及び対応する相手コネクタ４を有する、コネクタ構造を示す。図示の実施形態ではスタークアッドケーブルであるケーブル１０１はその端部が剥き出しになっているので、ケーブルシールド１０７及びケーブル芯１−１，１−２，２−１，２−２（図３及び図４参照）がケーブル端部から突出する。スタークアッドケーブル１０１の剥き出しになった端部は、コネクタハウジングの第１シールド部１０９内に挿入されている。第１シールド部１０９はケーブルに面した側にケーブルシール１０５を有する。ケーブルシール１０５は、コネクタハウジングの内部に液体及びごみが入らないよう保護する。ケーブルシールド１０７は、コネクタの第１シールド部１０９に接触するように丸く曲げられる。
【００３２】
コネクタ第１シールド部１０９内にケーブル１０１を固定するために、ねじ締めナット１０３が設けられる。このナットはコネクタハウジングの第１シールド部１０９にねじ止めされる。この目的のために、ねじ締めナット１０３及びコネクタハウジングの第１シールド部１０９の適当な位置に、ねじ部が設けられる。
【００３３】
芯１−１，１−２，２−１，２−２の剥き出しになった端部は接触領域１１９で終端し、接触領域は芯１−１，１−２，２−１，２−２の剥き出しになった端部をピンコンタクト１１１に接続する。接触領域１１９は、ケーブル１０１の個別の芯１−１，１−２，２−１，２−２の空間配置がコネクタ３内で保持される（すなわち、コネクタハウジング内の芯端部及び相手コンタクト（ピンコンタクト１１１）がケーブル１０１内の芯１−１，１−２，２−１，２−２の対の空間配置に対応する）ように設計される。さらに、２つの芯端部及び各芯対（例えば、芯対１−１，１−２）のコンタクト（ピンコンタクト１１１）は、各芯端部及び他の芯対（例えば、芯対２−１，２−２）の少なくとも一方のコンタクト（ピンコンタクト１１１）に対して略等距離に配置されている。
【００３４】
接触領域１１９は、コンタクトハウジングの第２シールド部１１５及びコネクタハウジングの第３シールド部１１３によりシールされた状態で囲まれる。コネクタハウジングの第２シールド部１１５は、コネクタハウジングの第１シールド部１０９にねじ止めされる。さらに、第２シールド部は、コネクタハウジングの第１シールド部１０９及び第２シールド部１１５間の接続を封止するシールを具備する。
【００３５】
コネクタハウジングの第３シールド部１１３は、ピンコンタクト１１１及び接触領域１１９と共に、図２に示されるようにコネクタのプラグ面（嵌合面）を形成する。コネクタハウジングの第３シールド部１１３はその外側にねじ部１１７を有するが、ねじ部の機能は後述する。
【００３６】
ケーブル１０１のシールドの無い芯１−１，１−２，２−１，２−２の出口からピンコンタクトの端部が相手コネクタ４に対面するところまで延びるコネクタハウジング内に、シールド部１０９，１１３，１１５間の接触を介して、連続的なシールドが形成される。この連続シールドは、ケーブルシールド１０７がコネクタ３に連続するように、さらにケーブルシールド１０７に接続されている。
【００３７】
図１に同様に図示されている相手コネクタ４の個別部品は、コネクタ３の部品にほぼ対応し、同機能を有する。
【００３８】
第２ケーブル１０２（例示ではスタークアッドケーブル）は、相手コネクタ４の反対側で相手コネクタ４内に挿入される。コネクタ３において、ケーブル１０２の芯は、ケーブル１０１の芯にほぼ対応して本発明に従ったコネクタ構造により接続される。
【００３９】
相手コネクタのケーブル１０２もシールド１０８を有し、図示の実施形態において、４本の芯１−１，１−２，２−１，２−２を有する。芯１−１，１−２，２−１，２−２の剥き出しになった端部は相手コネクタ４の接触領域１２０内でソケットコンタクトに接続される。コネクタ及び相手コネクタの嵌合時に、ソケットコンタクトにコネクタのプラグピン１１１が嵌合するので、２本のケーブル１０１，１０２の芯１−１，１−２，２−１，２−２を導電状態で互いに接続する。
【００４０】
相手コネクタ４の接触領域１２０も、芯１−１，１−２，２−１，２−２の空間配置がケーブル１０２内の空間配置とほぼ対応するように設計される。接触領域１２０は、ケーブル１０２の個別芯１−１，１−２，２−１，２−２の空間配置が相手コネクタ４内で保持される、すなわち芯の端部及びコネクタハウジング内の相手コンタクト（ソケットコンタクト１１２）の空間配置がケーブル１０１の芯１−１，１−２，２−１，２−２の対の空間配置に対応するように、設計される。さらに、２つの芯端部及び各芯対（例えば芯１−１，１−２）のコンタクト（ソケットコンタクト１１２）は、他の芯対（芯２−１，２−２）の少なくとも一つの各芯端部及びコンタクト（ソケットコンタクト１１２）に対してほぼ等距離に配置される。
【００４１】
コネクタ３におけるように、ケーブル１０２のケーブルシールド１０８は、コネクタ３と嵌合する相手コネクタの端部までコネクタの縦軸に沿って延びるシールドに導電接続される。
【００４２】
シールドは、コネクタ３で互いに接続される３個のシールド部１１０，１１４，１１６により形成される。ケーブル１０２と対面する端部において、相手コネクタ４は、相手コネクタハウジングの第１シールド部１１０にねじ止めできるねじ締めナット１０４を有する。ねじ締めナット１０４を相手コネクタハウジングの第１シールド部１１０にねじ止めすることにより、ケーブル１０２は、相手コネクタの内部に対してシール１０６により封止される。これにより、気体、液体及びごみの侵入が防止される。
【００４３】
ケーブル１０２から反対側の端部において、相手コネクタ４は、コネクタ３が相手コネクタ４と嵌合できるようにプラグ面（嵌合面）を有する。コネクタ３が係合する端部において、相手コネクタ４も、コネクタ３のねじ部１１７にねじ止め可能なねじ部１１８を有する。
【００４４】
コネクタ３の第３シールド部１１３及び相手コネクタ４の第３シールド部１１４を互いにねじ止めすることにより、ピンコンタクト１１１は対応するソケットコンタクト１１２に嵌合するので、ケーブル１０万１１０２間を電気接続する。
【００４５】
さらに、ねじ接続は、コネクタ構造の２部品（コネクタ３及び相手コネクタ４）の機械的に安定した結合を可能にする。
【００４６】
ケーブルを捩じることなくコネクタ３及び相手コネクタ４を互いにねじ止めすることが可能であるので、相手コネクタハウジングの第３シールド部１１４は、相手コネクタ４の縦軸の周囲を回転可能になるように、接触領域１２０に接続される。この目的のために、接触領域１２０に突起１２１が形成される。この突起１２１は、相手コネクタハウジングの第３シールド部１１４が一緒に保持されることを保証、同時に第３シールド部の回転を可能にする。このようにして、２個の第３シールド部１１３，１１４は、ケーブル１０２，１０３を捩じることを要せず、互いにねじ止めできる。
【００４７】
コネクタ及び相手コネクタ間の接続を期待、液体及びごみから保護するために、相手コネクタ４はシールリング１２２を有する。リールリングは、第３シールド部１１３，１１４を互いにねじ止めすると、コネクタ３及び相手コネクタ４間の接続の封止を保証する。
【００４８】
図２は、図１のコネクタ３の嵌合面を示す図である。図示の実施形態において、コネクタは回路コネクタであり、ここではＭ１２寸法の例を示す。コネクタ３のピンコンタクト１１１は、コネクタの空間配置がケーブルの空間配置と一致するように配置される。図１６に示されるスタークアッドケーブルの概略断面との比較は、円形路にほぼ横たわるケーブル１０１の芯１−１，１−２，２−１，２−２の対称配置はコネクタ３自体の芯配置に一致することを示す。
【００４９】
図１及び図２に図示された、本発明に従ったコネクタ構造の第１実施形態において、芯１−１，１−２，２−１，２−２及びシールドの空間配置の結果、コネクタ３及び相手コネクタ４の物理特性は、ケーブル１０１，１０２の物理特性と一致する。このようにして、ケーブル等の場合、コネクタ構造を設けたにもかかわらず、伝送線に伝送パラメータを構成することが可能であり、その結果、伝導特性は最適化される（すなわち、電磁波に対して良好なシールドが与えられ、個別の芯１−１，１−２，２−１，２−２及びケーブル１０１，１０２間に低レベルのクロストークが生ずる）。
【００５０】
図３及び図４は、円形コネクタ断面及び矩形コネクタ断面を有する対称条件の概略図であり、スタークアッド伝送リンク内でのコネクタ構造の使用にかかわらず、伝送パラメータを改良することが可能になる。
【００５１】
図３は、図１及び図２に示されたコネクタ構造の第１実施形態に使用される構造である。図１６との比較から明確であるように、シールド５及び芯１−１，１−２，２−１，２−２の位置はスタークアッドケーブルの位置と一致する。配置の対称軸は図３及び図４においては線で示される。この対称配置により、一致する芯配置を有するケーブル等において、芯１−１，１−２，２−１，２−２に伝送された信号のクロストークを低減することが可能になる。
【００５２】
試験及び測定は、図４に示されるように、ケーブルの対称性に対してシールドの対称性の若干の差異は、コネクタ構造の伝送パラメータの著しい劣化という結果はならない。図４において、シールド５が略矩形で示されるので、スタークアッドケーブル内の円形シールドとは異なる。芯１−１，１−２，２−１，２−２の配置はスタークアッドケーブルの配置と一致する。シールド５の図示された若干の非対称性は、対称性が芯１−１，１−２，２−１，２−２の配置に保持されているなら、クロストークの値に大きな影響を与えない。
【００５３】
図５ないし図１３を参照して、本発明の第２実施形態のコネクタを組み立てる方法を以下に説明する。コネクタの断面は図４に示された断面と一致する。
【００５４】
第１段階において、図５に図示されているように、ケーブル８の芯１５はコンタクト６に接続される。ケーブル８はワイヤメッシュのシールド７を有する。コネクタハウジング１２は２つのコンタクト固定手段９を有する。
【００５５】
次に図６に示されるように、コンタクト６、及びコンタクト６に接続されたケーブル８の芯１５はコネクタハウジング１２内に挿入され、Ａ，Ｂで指定された２個の矢印で示されるようにコンタクト固定手段９が閉じられる。
【００５６】
図７は、コネクタハウジング１２内にコンタクト６を挿入した後、及びコンタクト固定手段９の閉鎖後のコネクタ３を示す。コンタクト固定手段９は、コンタクト６がコネクタハウジング１２から抜け出すことを防止する（すなわち、コンタクトはコネクタハウジング内に固定される）。コンタクト６は、コンタクト固定手段９を開けることにより、コネクタハウジングから取り外すことができる。
【００５７】
絶縁コネクタハウジング１２内にコンタクト６を挿入した後、ケーブル８のシールド７筈８に示されるように後方に曲げられ、この結果、シールドプレート１０は、コネクタハウジング１２をシールドした状態で取り囲むように嵌めることができる。次に、嵌められたシールドプレート１２が、図９に示されるようにコネクタハウジング１２を閉鎖する。
【００５８】
次に、ケーブルシールド７が、図１０に示されるようにシールドプレート１０に接続できる。ケーブルシールド７及びシールドプレート１０間の接続部のさらなる機械的安定性を達成するために、組立に先立ち、ケーブル８に押圧された圧着バレル１１は次に、矢印Ｃで示された方向にケーブルシールド７及びシールドプレート１０間の接触領域上をケーブル８に沿って変位し、ケーブルシールド７及びシールドプレート１０の接触領域上に位置し取り付けられる。
【００５９】
図１１は、第２実施形態に従った組立完了したコネクタ３を示す。図示の実施形態において、シールドプレート１０はコネクタの外部ハウジング１２を形成する。図１２は、矢印Ｄ及びＥで示された、第２実施形態に従ったコネクタ３と対応する相手コネクタ４の嵌合をしめす。
【００６０】
図１３は、第２実施形態に従ったコネクタ３のコネクタ面（嵌合面）１３を示す。嵌合面１３に中心に配置されているのは４個のソケットコンタクト１４であり、これらソケットコンタクトには、コネクタ及び相手コネクタの嵌合時に図１２に示されるように、対応する相手コネクタ４のピンコンタクトが係合する。破線は、ソケットコンタクト１４の配置の対称軸を示す。シールド５の若干の非対称性は、嵌合面１３の縁で見ることができる。
【００６１】
図１４は、スタークアッドケーブルを介して電力を端子に供給できる回路の概略図である。この技術はパワーオーバイーサネット（登録商標）としても知られ、イーサネット（登録商標）用途（例えば、10ベース−Ｔ、100ベース−Ｔ等）に特によく適合する。100Ωケーブルインピーダンスへ回路の受信側２２１及び送信側２２０の適合は、簡略化のために図示していない。
【００６２】
この図において、デバイス２２０，２２１は、送信器２１０，２１４及び受信ステーション２１１，２１３をそれぞれ有する。送信装置２２０において、直流電圧原２０１が設けられ、ＬＣ素子２１６，２１７を介してカプラ２０２，２０５に直流電圧Ｖdcがスタークアッドケーブルの芯１−１，１−２，２−１，２−２及び第２端子２２１に伝えられる。
【００６３】
この工程において、信号は伝送ラインを通り、そのインピーダンスは例えば100Ωと仮定される。直流電圧を受ける端子２２１において、送信された直流電圧はカプラ２０３，２０４により分断され、分断された電圧がＬＣ素子２１８，２１９を通って電圧レギュレータ２２２に供給された後、電圧分岐コンタクト２１５で取り出される。電圧分岐端子２２１も、スイッチ又はハブ等のアクティブスターカプラでもよい。図示されたこの保護回路の利点は、スタークアッドケーブル及びコネクタ構造の上述の対称性条件の結果、良好な高周波伝送特性が直流電流伝送により損なわれないことである。
【００６４】
トランス２０２，２０３，２０４，２０５の電流搬送巻線は、電流負荷に一致するよう設定されねばならない。ＬＣ素子２１６〜２１９は、高周波信号伝送用の周波数帯域及び電力供給が互いに明確に分離されるように設定される必要がある。例えば、カテゴリ５用途において、信号伝送帯域は1〜100ＭHzで固定される。電力供給側２２０において、低いメガヘルツ範囲に及ぶ高調波は、特にスイッチコントローラ及びプロセッサが使用される場合、全体として可能である。従って、十分な分断が保証されねばならない。
【００６５】
少なくとも２対のラインが利用可能な場合、ツイストペアラインに対してスタークアッドケーブルの使用とは無関係に、図示の保護回路も使用してもよい。
【００６６】
また、ケーブルの対称性特性の利用も、このようなケーブルの印刷回路基板への結合に活用してもよい。図１５において、例えば相手コネクタ２２４は印刷回路基板２２３に直接結合される結果、信号は、印刷回路基板からケーブルへの干渉が小さく直接送信でき、逆もまた同様である。
【図面の簡単な説明】
【００６７】
【図１】コネクタ及び相手コネクタを有する本発明の一実施形態に従ったコネクタ構造の断面図である。
【図２】図１のコネクタの嵌合面の正面図である。
【図３】円形断面を有する本発明の一実施形態に従ったコネクタ構造のコネクタを断面した概略図である。
【図４】略矩形断面を有する本発明の第２実施形態に従ったコネクタ構造のコネクタを断面した概略図である。
【図５】本発明の第２実施形態に従ったコネクタ構造のコネクタハウジング内にコンタクトを挿入する前の、コンタクトを有する４芯ケーブルを示す斜視図である。
【図６】コネクタハウジング内にコンタクトを挿入する後の、図５のコンタクトを有する、４芯ケーブルを示す斜視図である。
【図７】コネクタハウジング内にコンタクトを挿入する後でコンタクト固定手段が閉じた状態の、図５及び図６のコンタクトを有する、４芯ケーブルを示す斜視図である。
【図８】シールドプレートの嵌合前で、図５、図６及び図７のコンタクトがコネクタハウジング及びシールドプレートに挿入された状態の、４芯ケーブルを示す斜視図である。
【図９】シールドプレートの嵌合後で、図５、図６、図７及び図８のコンタクトがコネクタハウジング及びシールドプレートに挿入された状態の、４芯ケーブルを示す斜視図である。
【図１０】ケーブルシールドがシールドプレートに接触し、圧着バレルを配置した状態の、図５、図６、図７、図８及び図９のコンタクトを有する、４芯ケーブルを示す斜視図である。
【図１１】圧着バレルがシールドプレートの接触領域及びケーブルシールドを介して固定された状態の、図５、図６、図７、図８、図９及び図１０のコンタクトを有する、４芯ケーブルを示す斜視図である。
【図１２】コネクタが対応する相手コネクタと嵌合する状態の、図５、図６、図７、図８、図９、図１０及び図１１のコンタクトを有する、４芯ケーブルを示す斜視図である。
【図１３】本発明の第２実施形態に従ったコネクタの嵌合面を示す斜視図である。
【図１４】伝送システムへ直流電流を供給する回路図である。
【図１５】印刷回路基板に結合された相手コネクタを示す斜視図である。
【図１６】スタークアッドケーブルの断面図である。
【符号の説明】
【００６８】
１−１，１−２，２−１，２−２  コンタクト
３      コネクタ
４      相手コネクタ
５      シールド
６      コンタクト
７      ケーブルシールド
１０    シールドプレート
１１    圧着バレル
１２    コネクタハウジング
１３    嵌合面
１０１，１０２  ケーブル
１０９，１１３，１１５  シールド
１１０，１１４，１１６  シールド
１１１，１１２  コンタクト
２２３  印刷回路基板
【図１】
2004172131.tif 000003
【図２】
2004172131.tif 000004
【図３】
2004172131.tif 000005
【図４】
2004172131.tif 000006
【図５】
2004172131.tif 000007
【図６】
2004172131.tif 000008
【図７】
2004172131.tif 000009
【図８】
2004172131.tif 000010
【図９】
2004172131.tif 000011
【図１０】
2004172131.tif 000012
【図１１】
2004172131.tif 000013
【図１２】
2004172131.tif 000014
【図１３】
2004172131.tif 000015
【図１４】
2004172131.tif 000016
【図１５】
2004172131.tif 000017
【図１６】
2004172131.tif 000018